(57)【要約】【課題】ＵＴＰケーブルの伝送特性の劣化を抑制しつつ、コネクタの大型化を抑制する。【解決手段】ＵＴＰケーブル１０は、撚り合わされた２本のコア線１１と、２本のコア線１１の外側に配されたインナージャケット１２と、インナージャケット１２の外側に配されたアウタージャケット１３と、を備え、インナージャケット１２とアウタージャケット１３との間には、インナージャケット１２の内面とアウタージャケット１３の外面とが離間した離間領域１７が設けられている。【選択図】図２
2019079609.tif 000002
【特許請求の範囲】
【請求項１】
撚り合わされた２本のコア線と、
前記２本のコア線の外側に配されたインナージャケットと、
前記インナージャケットの外側に配されたアウタージャケットと、を備え、
前記インナージャケットと前記アウタージャケットとの間には、前記インナージャケットの内面と前記アウタージャケットの外面とが離間した離間領域が設けられている、ＵＴＰケーブル。
【請求項２】
前記インナージャケットと前記アウタージャケットとの間に介在物が配された、請求項１に記載のＵＴＰケーブル。
【請求項３】
前記介在物は、前記インナージャケットの外面に捲回されたテープである、請求項２に記載のＵＴＰケーブル。
【請求項４】
前記テープはフェライトを含む、請求項３に記載のＵＴＰケーブル。
【請求項５】
前記テープの内面及び外面の少なくとも一方は金属を含む、請求項３に記載のＵＴＰケーブル。
【請求項６】
前記介在物は、前記インナージャケットの外面に、前記インナージャケットの延びる方向に沿って配された線状部材である、請求項２に記載のＵＴＰケーブル。
【請求項７】
前記インナージャケットの外面には突起が設けられている、請求項１から請求項６のいずれか一項に記載のＵＴＰケーブル。
【請求項８】
請求項１から請求項７のいずれか一項に記載のＵＴＰケーブルの端末に接続された端子と、
前記端子を収容すると共に、前記ＵＴＰケーブルの端末において露出した前記インナージャケットが挿入されたコネクタハウジングと、を備えたコネクタ。
【発明の詳細な説明】
【技術分野】
【０００１】
本明細書に開示された技術は、ＵＴＰケーブル、及びこれを備えたコネクタに関する。
【背景技術】
【０００２】
一般に、ＵＴＰ（Ｕｎｓｈｉｅｌｄｅｄ  Ｔｗｉｓｔｅｄ−Ｐａｉｒ）ケーブルは、導体の外周を絶縁性の合成樹脂で被覆してなる２本のコア線が撚り合わされており、この撚り合わされた２本のコア線の外側にジャケットが配されている。
【０００３】
ＵＴＰケーブルの端末にはコネクタが接続される。コネクタと接続するために、ＵＴＰケーブルの端末においては、ジャケットが皮剥ぎされて、２本のコア線が撚り戻される。更にコア線の被覆が皮剥ぎされて露出した導体に端子が接続される。この端子が、コネクタのコネクタハウジング内に収容される。このようなＵＴＰケーブルとして特開２００４−７１４０４号公報が知られている。
【先行技術文献】
【特許文献】
【０００４】
【特許文献１】特開２００４−７１４０４号公報
【発明の概要】
【発明が解決しようとする課題】
【０００５】
２本のコア線の撚り戻し長さは、伝送特性の観点から、できるだけ短い方が好ましい。このため、２本のコア線の撚り戻し部分をコネクタハウジングの内部に配したコネクタが用いられる場合がある。このようなコネクタにおいては、ＵＴＰケーブルのジャケットの端末もコネクタハウジング内に挿入されるようになっている
【０００６】
車載用のＵＴＰケーブルにおいては、浸水など周囲環境の影響により伝送特性が劣化する可能性があるので、ジャケットの厚みを調節することにより、２本のコア線と周囲との離隔距離を確保するようになっている。
【０００７】
しかしながら、例えば伝送特性の劣化を抑制するためにジャケットを厚くすると、既存のコネクタハウジング内にジャケットを挿入することができなくなる虞がある。近時、居住空間の増大に伴い、ケーブルの配索空間の狭小化が求められているので、ジャケットを厚くしたＵＴＰケーブルに対応するためにコネクタを大型化することは現実的でない。
【０００８】
本明細書に開示された技術は上記のような事情に基づいて完成されたものであって、伝送特性の劣化を抑制しつつ、コネクタの大型化が抑制されたＵＴＰケーブルを提供することを目的とする。
【課題を解決するための手段】
【０００９】
本明細書に開示された技術は、ＵＴＰケーブルであって、撚り合わされた２本のコア線と、前記２本のコア線の外側に配されたインナージャケットと、前記インナージャケットの外側に配されたアウタージャケットと、を備え、前記インナージャケットと前記アウタージャケットとの間には、前記インナージャケットの内面と前記アウタージャケットの外面とが離間した離間領域が設けられている。
【００１０】
また、本明細書に開示された技術は、コネクタであって、ＵＴＰケーブルの端末に接続された端子と、前記端子を収容すると共に、前記ＵＴＰケーブルの端末において露出した前記インナージャケットが挿入されたコネクタハウジングと、を備える。
【００１１】
上記の構成によれば、アウタージャケットを厚くすることにより、インナージャケットの厚みを変更することなく、ＵＴＰケーブルの伝送特性が劣化することを抑制することができる。
【００１２】
また、上記の構成によれば、離間領域においてはインナージャケットとアウタージャケットとは直接には接触していないので、ＵＴＰケーブルの端末において、インナージャケットを残しつつ、アウタージャケットを容易に皮剥ぎすることができる。これにより、アウタージャケットよりも外径寸法の小さなインナージャケットをコネクタハウジング内に挿入する構成とすることができるので、コネクタの大型化を抑制することができる。
【００１３】
本明細書に開示された技術の実施態様としては以下の態様が好ましい。
【００１４】
前記インナージャケットと前記アウタージャケットとの間に介在物が配されていることが好ましい。
【００１５】
上記の構成によれば、介在物によって、インナージャケットとアウタージャケットとの間に確実に離間領域を設けることができるので、ＵＴＰケーブルの端末において、更に容易にアウタージャケットを皮剥ぎすることができる。これにより、ＵＴＰケーブルの皮剥ぎ作業の効率を向上させることができる。
【００１６】
前記介在物は、前記インナージャケットの外面に捲回されたテープであることが好ましい。
【００１７】
上記の構成によれば、インナージャケットの外面にテープを捲回するという簡易な手法により、インナージャケットとアウタージャケットとの間に介在物を配することができる。
【００１８】
前記テープはフェライトを含むことが好ましい。
【００１９】
上記の構成によれば、コア線に混入するノイズを低減させることができる。
【００２０】
前記テープの内面及び外面の少なくとも一方は金属を含むことが好ましい。
【００２１】
上記の構成によれば、インナージャケットとアウタージャケットとが直接に接触している場合に比べて、インナージャケットとアウタージャケットとの間の摩擦力を低減させることができる。これにより、アウタージャケットの皮剥ぎ作業の効率を向上させることができる。
【００２２】
前記介在物は、前記インナージャケットの外面に、前記インナージャケットの延びる方向に沿って配された線状部材であることが好ましい。
【００２３】
上記の構成によれば、皮剥ぎされたアウタージャケットは、線状部材と摺接することにより、線状部材に沿ってインナージャケットの延びる方向に容易に移動することができる。これにより、ＵＴＰケーブルの皮剥ぎ作業の効率を向上させることができる。
【００２４】
前記インナージャケットの外面には突起が設けられていることが好ましい。
【００２５】
上記の構成によれば、インナージャケットの外面に設けられた突起によって、インナージャケットとアウタージャケットとの間に確実に離間領域を設けることができるので、ＵＴＰケーブルの皮剥ぎ作業の効率を向上させることができる。
【発明の効果】
【００２６】
本明細書に開示された技術によれば、伝送特性の劣化を抑制しつつ、コネクタの大型化が抑制することができる。
【図面の簡単な説明】
【００２７】
【図１】実施形態１に係るＵＴＰケーブルを示す斜視図
【図２】ＵＴＰケーブルを示す断面図
【図３】コネクタを示す断面図
【図４】図４に係るコネクタを示す一部拡大断面図
【図５】実施形態２に係るＵＴＰケーブルを示す斜視図
【図６】ＵＴＰケーブルを示す断面図
【図７】コネクタを示す断面図
【図８】実施形態３に係るＵＴＰケーブルを示す断面図
【発明を実施するための形態】
【００２８】
＜実施形態１＞
本明細書に開示された技術の実施形態１を、図１ないし図４を参照しつつ説明する。本実施形態に係るＵＴＰケーブル１０は、２本のコア線１１と、インナージャケット１２と、アウタージャケット１３と、を有する。なお、複数の同一部材については、一部の部材に符号を付し、他の部材については符号を省略する場合がある。
【００２９】
コア線１１は、金属製の導体１４と、導体１４の外周を覆う絶縁性の合成樹脂製の絶縁被覆１５と、を備える。２本のコア線１１は互いに撚り合わされている。コア線１１の断面形状は円形状をなしている。
【００３０】
撚り合わされた２本のコア線１１の外側には、絶縁性の合成樹脂からなるインナージャケット１２が配されている。インナージャケット１２は円筒形状をなしている。
【００３１】
インナージャケット１２の外面には、テープ１６（介在物の一例）が捲回されている。テープ１６は、インナージャケット１２の外面に、らせん状に捲回されている。テープ１６は、側縁同士が重なることにより隙間なく捲回される構成としてもよく、また、側縁間に隙間を有して捲回される構成としてもよい。換言すると、インナージャケット１２の外面が露出しないように捲回されていてもよく、また、インナージャケット１２の外面の一部が露出するように捲回されていてもよい。
【００３２】
テープ１６は、インナージャケット１２とアウタージャケット１３との間に配された介在物として機能する。これにより、インナージャケット１２の外面と、アウタージャケット１３の内面とは、少なくともテープ１６の厚さ寸法だけ離間している。本実施形態においては、インナージャケット１２とアウタージャケット１３との間にテープ１６が介在する領域が、インナージャケット１２の外面とアウタージャケット１３の外面とが離間した離間領域１７とされる。また、インナージャケット１２とアウタージャケット１３との間にテープ１６が配されていない領域であっても、インナージャケット１２の外面とアウタージャケット１３の外面とが離間した領域は、離間領域１７とされる。
【００３３】
テープ１６は、可撓性を有する細長いテープ状をなしており、フェライトを含む。テープ１６としては、例えば、合成樹脂製のフィルムの表面にフェライトが塗布される構成としてもよく、必要に応じて任意の構成を採用し得る。テープ１６のうち、インナージャケット１２側の面には、粘着剤が塗布されていてもよいし、また、粘着剤が塗布されていなくてもよい。なお、テープ１６のうち、アウタージャケット１３側の面には、粘着剤は塗布されていない。
【００３４】
インナージャケット１２の径方向について外方であって、且つ、テープ１６の外側には、アウタージャケット１３が配されている。アウタージャケット１３は、絶縁製の合成樹脂製である。アウタージャケット１３は円筒形状をなしている。
【００３５】
テープ１６の外面には粘着剤が塗布されていないので、テープ１６の外面とアウタージャケット１３の内面との間は、比較的に摩擦が小さくなっている。
【００３６】
ＵＴＰケーブル１０の端末においては、アウタージャケット１３が皮剥ぎされている。これにより、所定の長さ寸法のインナージャケット１２が露出している。アウタージャケット１３が皮剥ぎされた部分においては、テープ１６もインナージャケット１２の外面から剥ぎ取られている。
【００３７】
更に、インナージャケット１２の端末は皮剥ぎされており、２本のコア線１１が露出している。各コア線１１の端末において、絶縁被覆１５が皮剥ぎされることにより、導体１４が露出している。この導体１４の端末には、端子１８が接続されている。
【００３８】
端子１８は、コア線１１の絶縁被覆１５の外周に圧着するインシュレーションバレル１９と、インシュレーションバレル１９に連なって、コア線１１の導体１４の外周に圧着するワイヤーバレル２０と、ワイヤーバレル２０に連なって相手側端子（図示せず）と接続する接続部２１と、を有する。本実施形態に係る端子１８は、接続部２１がタブ状をなす雄型端子である。
【００３９】
ＵＴＰケーブル１０の端部には、コネクタ２２が取り付けられている。コネクタ２２は、ＵＴＰケーブル１０の端末に接続された端子１８と、絶縁性の合成樹脂製のコネクタハウジング２３と、を備える。コネクタハウジング２３は、端子１８を収容するキャビティ２４を有する。キャビティ２４内には、端子１８に係止して端子１８をキャビティ２４に抜け止めするランス２５が形成されている。ランス２５が端子１８に対して後方から弾性的に係合することにより、端子１８が後方に抜止されている。
【００４０】
コネクタハウジング２３には、タブ状をなす端子１８の接続部２１が配されると共に、相手側コネクタ（図示せず）が嵌合するフード部２６が開口されている。
【００４１】
コネクタハウジング２３には、キャビティ２４の後方に、インナージャケット１２の端部が挿入されるジャケット挿入部２７が、後方に開口されている。ジャケット挿入部２７の内径寸法は、インナージャケット１２の外径寸法と、同じか、又は大きく設定されている。これにより、ジャケット挿入部２７内に、インナージャケット１２が挿入可能になっている。
【００４２】
続いて、本実施形態に係るＵＴＰケーブル１０の、コネクタ２２への組み付け工程の一例を説明する。なお、ＵＴＰケーブル１０の、コネクタ２２への組み付け工程は以下の記載に限定されない。
【００４３】
ＵＴＰケーブル１０のアウタージャケット１３の端末部から所定の長さ寸法だけ離間した位置に、図示しないカッターで切り欠きを設ける。切り欠きを設けた部分から、ＵＴＰケーブル１０の端末に向かってアウタージャケット１３を引き抜く。このとき、アウタージャケット１３とインナージャケット１２との間にはテープ１６が配されているので、アウタージャケット１３の内面とインナージャケット１２の外面とが離間した状態になっている。これにより、アウタージャケット１３は、インナージャケット１２から容易に剥離可能になっている。更に、テープ１６のうちアウタージャケット１３側の面に粘着剤は塗布されていないので、テープ１６の表面とアウタージャケット１３の内面とは、摩擦が一層小さくなっている。これにより、アウタージャケット１３を容易に皮剥ぎすることができる。
【００４４】
アウタージャケット１３を皮剥ぎした後、インナージャケット１２の外面に捲回されたテープ１６を剥ぎ取る。続いて、インナージャケット１２の端末部から所定の長さ寸法だけ離間した位置に、図示しないカッターで切り欠きを設ける。切り欠きを設けた部分から、ＵＴＰケーブル１０の端末に向かってインナージャケット１２を引き抜く。これにより、２本のコア線１１が露出する。
【００４５】
インナージャケット１２の端部から露出した２本のコア線１１を撚り戻す。撚り戻したコア線１１のそれぞれにつき、絶縁被覆１５を皮剥ぎする。これにより、コア線１１の導体１４が露出する。
【００４６】
絶縁被覆１５から露出した芯線にワイヤーバレル２０を圧着すると共に、絶縁被覆１５にインシュレーションバレル１９を圧着する。これにより、２本のコア線１１のそれぞれに端子１８を接続する。
【００４７】
コネクタハウジング２３のジャケット挿入部２７内に後方から端子１８を挿入し、キャビティ２４へと押し込む。端子１８の接続部２１がフード部２６内へと達し、ランス２５が端子１８と弾性的に係止することにより、端子１８がキャビティ２４内に抜け止めされる。この状態で、ジャケット挿入孔内には、インナージャケット１２の先端部が挿入される。アウタージャケット１３は、コネクタハウジング２３よりも後方の位置に配されており、ジャケット挿入部２７内には挿入されていない。これにより、コネクタ２２が完成する。
【００４８】
続いて、本実施形態の作用、効果について説明する。本実施形態に係るＵＴＰケーブル１０は、撚り合わされた２本のコア線１１と、２本のコア線１１の外側に配されたインナージャケット１２と、インナージャケット１２の外側に配されたアウタージャケット１３と、を備え、インナージャケット１２とアウタージャケット１３との間には、インナージャケット１２の内面とアウタージャケット１３の外面とが離間した離間領域１７が設けられている。
【００４９】
また、本実施形態に係るコネクタ２２は、ＵＴＰケーブル１０の端末に接続された端子１８と、端子１８を収容すると共に、ＵＴＰケーブル１０の端末において露出したインナージャケット１２が挿入されたコネクタハウジング２３と、を備える。
【００５０】
上記の構成によれば、インナージャケット１２の厚みは変更せず、アウタージャケット１３を厚くすることによって、ＵＴＰケーブル１０の伝送特性が劣化することを抑制することができる。
【００５１】
また、上記の構成によれば、離間領域１７においては、インナージャケット１２とアウタージャケット１３とは離間しているので、ＵＴＰケーブル１０の端末において、インナージャケット１２を残しつつ、アウタージャケット１３を容易に皮剥ぎすることができる。これにより、アウタージャケット１３よりも外径寸法の小さなインナージャケット１２をコネクタハウジング２３内に挿入する構成とすることができるので、コネクタ２２の大型化を抑制することができる。
【００５２】
また、本実施形態によれば、インナージャケット１２とアウタージャケット１３との間にテープ１６が配されている。
【００５３】
上記の構成によれば、テープ１６によって、インナージャケット１２とアウタージャケット１３との間に確実に離間領域１７を設けることができるので、ＵＴＰケーブル１０の端末において、更に容易にアウタージャケット１３を皮剥ぎすることができる。これにより、ＵＴＰケーブル１０の皮剥ぎ作業の効率を向上させることができる。
【００５４】
また、上記の構成によれば、２本のコア線１１は、フェライトを含むテープ１６により捲回された状態になっている。これにより、テープ１６によって高周波数ノイズを減衰させることができる。また、コア線１１を流れる電流により、テープ１６に含まれるフェライトに磁束が発生して電流のエネルギーが磁気のエネルギーに変化され、電流の変化に伴ってこの磁束は再び電磁誘導によって電流に変換される。このとき、磁束のエネルギーの一部は磁気損失として失われるので、コア線１１を通ったノイズ電流の一部は磁気損失として失われる。これにより、コア線１１に流れる信号のノイズを低減させることができる。
【００５５】
＜変形例＞
続いて、実施形態１の変形例について説明する。上記実施形態においては、インナージャケット１２の外周面には、フェライトを含むテープ１６が捲回される構成としたが、これに限られず、テープ１６は金属製であってもよい。このテープ１６を構成する金属としては、銅、銅合金、アルミニウム、アルミニウム合金等、導電性を有する金属を薄く展延した構成のものを用いることができる。
【００５６】
また、テープ１６としては、ポリエチレン、ポリプロピレン、ポリエチレンテレフタレート、ポリブチレンテレフタレート、ナイロン６，６等の合成樹脂製のテープ１６の内面及び外面の少なくとも一方に金属粉が塗布された構成のものを用いることができる。テープ１６の両面に金属粉が塗布されていてもよい。上記の金属粉としては、銅、銅合金、アルミニウム、アルミニウム合金等、導電性を有する金属粉を用いることができる。
【００５７】
上記の構成によれば、テープ１６の内面及び外面の少なくとも一方は金属を含むので、インナージャケット１２とアウタージャケット１３とが直接に接触している場合に比べて、インナージャケット１２とアウタージャケット１３との間の摩擦力を低減させることができる。これにより、アウタージャケット１３の皮剥ぎ作業の効率を向上させることができる。
【００５８】
本変形例に係るテープ１６が、インナージャケット１２の外面に隙間なく捲回されている場合には、アウタージャケット１３との摩擦力を一層低減させることができるので好ましい。
【００５９】
＜実施形態２＞
次に、本明細書に開示された技術の実施形態２を、図５ないし図７を参照しつつ説明する。
【００６０】
本実施形態に係るＵＴＰケーブル４０においては、インナージャケット１２とアウタージャケット１３との間には、複数（本実施形態では８本）の線状部材４１（介在物の一例）が、インナージャケット１２の周方向に間隔を空けて並んで配されている。各線状部材４１は、ＵＴＰケーブル４０の延びる方向に沿うように延びて配されている。インナージャケット１２の周方向について、各線状部材４１の間隔は略等間隔となっている。線状部材４１の断面は円形状をなしている。各線状部材４１の直径は略等しい。
【００６１】
線状部材４１は、金属製、合成樹脂製等、任意の材料を適宜に選択できる。線状部材４１の断面形状は、円形状に限られず、楕円形状、長円形状でもよく、また、三角形状、四角形状等の多角形状でもよい。また、インナージャケット１２の周方向における、線状部材４１同士の間隔は、等間隔に限られず、互いに異なる間隔で配されていてもよい。
【００６２】
インナージャケット１２の外面と、アウタージャケット１３の内面とは、線状部材４１が介在することにより、少なくとも線状部材４１の直径寸法だけ離間している。これにより、インナージャケット１２とアウタージャケット１３との間の領域のうち、少なくとも線状部材４１が配された部分は、インナージャケット１２の内面とアウタージャケット１３の外面とが離間した離間領域４２とされる。また、線状部材４１が配されていない部分において、インナージャケット１２の外面とアウタージャケット１３の内面とが離間している領域も、離間領域４２とされる。
【００６３】
上記以外の構成については、実施形態１と略同様なので、同一部材については同一符号を付し、重複する説明を省略する。
【００６４】
本実施形態によれば、インナージャケット１２の外面には、インナージャケット１２の延びる方向に沿って配された線状部材４１が配されている。これにより、皮剥ぎされたアウタージャケット１３は、線状部材４１と摺接することにより、線状部材４１に沿ってインナージャケット１２の延びる方向に容易に移動することができる。この結果、ＵＴＰケーブル４０の皮剥ぎ作業の効率を向上させることができる。
【００６５】
＜実施形態３＞
次に、本明細書に開示された技術の実施形態３を、図８を参照しつつ説明する。本実施形態に係るＵＴＰケーブル５０においては、インナージャケット５３の外面には、ＵＴＰケーブル１０の経緯方向の外方に向けて突出する複数（本実施形態では８つ）の突起５１が形成されている。この突起５１は、インナージャケット５３の延びる方向に沿って延びて形成されており、概ねリブ状をなしている。突起５１は、インナージャケット５３の周方向について、略等間隔に並んで形成されている。各突起５１の、インナージャケット５３の外面からの突出寸法は、略同じに設定されている。突起５１の断面形状は、略半円形状をなしている。
【００６６】
突起５１の断面形状は、円形状に限られず、楕円形状、長円形状でもよく、また、三角形状、四角形状等の多角形状でもよい。また、インナージャケット５３の周方向における、突起５１同士の間隔は、等間隔に限られず、互いに異なる間隔で配されていてもよい。
【００６７】
インナージャケット５３の外面と、アウタージャケット１３の内面とは、突起５１が介在することにより、突起５１の、インナージャケット５３の外面からの突出寸法だけ離間している。突起５１の先端とアウタージャケット１３の内面とは接触しているので、本実施形態においては、突起５１の先端とアウタージャケット１３の内面とが接触していない領域であって、且つ、インナージャケット５３の内面とアウタージャケット１３の外面とが離間した領域が、離間領域５２とされる。なお、インナージャケット５３のうち、突起５１と異なる部分がアウタージャケット１３の内面と接触していてもよい。
【００６８】
上記以外の構成については、実施形態１と略同様なので、同一部材については同一符号を付し、重複する説明を省略する。
【００６９】
本実施形態によれば、インナージャケット５３の外面には突起５１が設けられている。インナージャケット５３の外面に設けられた突起５１によって、インナージャケット５３とアウタージャケット１３との間に確実に離間領域５２を設けることができるので、ＵＴＰケーブル５０の皮剥ぎ作業の効率を向上させることができる。
【００７０】
＜他の実施形態＞
本明細書に開示された技術は上記記述及び図面によって説明した実施形態に限定されるものではなく、例えば次のような実施形態も本明細書に開示された技術の技術的範囲に含まれる。
【００７１】
（１）実施形態１に係る介在物はテープ状をなしており、実施形態２に係る介在物は線状部材４１としたが、介在物の形状は制約されず、シート状、糸状等、任意の形状を適宜に選択することができる。また、介在物は省略してもよい。
【００７２】
（２）実施形態１においては、介在物としてフェライトを含むテープ１６を用いたが、テープ１６は、合成樹脂製であってもよい。
【００７３】
（３）実施形態２においては、８本の線状部材４１を用いたが、これに限られず、線状部材４１の本数は、１本、２本から７本、又は９本以上でもよい。また、線状部材４１は、金属製であってもよいし、フェライト製であってもよい。線状部材４１をフェライト製とした場合には、コア線１１に混入するノイズを減少させることができる。
【００７４】
（４）実施形態３においては、インナージャケット５３からは８つの突起５１が突出する構成としたが、突起５１の個数は、１つ、２つから７つ、又は、９つ以上でもよい。アウタージャケット１３の内面に突起５１が設けられてもよい。
【００７５】
（５）実施形態３においては、インナージャケット５３とアウタージャケット１３との間に介在物を配さない構成としたが、これに限られず、インナージャケット５３とアウタージャケット１３との間であって、突起５１の先端とアウタージャケット１３の内面とが接触していない領域に、介在物を配する構成としてもよい。
【００７６】
（６）実施形態１〜３においては、端子１８は雄型端子としたが、これに限られず、端子は雌型端子でもよい。
【符号の説明】
【００７７】
１０，４０，５０：ＵＴＰケーブル
１１：コア線
１２：インナージャケット
１３：アウタージャケット
１６：テープ
１７，４２，５２：離間領域
１８：端子
２２：コネクタ
２３：コネクタハウジング
４１：線状部材
５１：突起
【図１】
2019079609.tif 000003
【図２】
2019079609.tif 000004
【図３】
2019079609.tif 000005
【図４】
2019079609.tif 000006
【図５】
2019079609.tif 000007
【図６】
2019079609.tif 000008
【図７】
2019079609.tif 000009
【図８】
2019079609.tif 000010